(57)【要約】【課題】内容物を収納した包装袋を、安全に電子レンジで加熱調理でき、調理後、易開封できる包装袋を提供することにある。【解決手段】少なくとも、外層フィルムと内層フィルムが積層された積層フィルムの両端部の内層フィルム同士を対向させシールした側シール部と、該側シール部と直交する端縁の内層フィルム同士をシールし、天シール部と地シール部を形成した包装袋において、前記天シール部２１または地シール部２２に開封するためのノッチ部２３を有し、該ノッチ部を介して、天地方向に開封される包装袋５０であって、前記ノッチ部から天地方向に開封する延長上に、前記外層フィルムを貫通し、内層表面まで達するスリット線１０が形成されていることを特徴とする包装袋である。【選択図】図１
2014210601.tif 000002
【特許請求の範囲】
【請求項１】
少なくとも、外層フィルムと内層フィルムが積層された積層フィルムの両端部の内層フィルム同士を対向させシールした側シール部と、
該側シール部と直交する端縁の内層フィルム同士をシールし、天シール部と地シール部を形成した包装袋において、
前記天シール部または地シール部に開封するためのノッチ部を有し、該ノッチ部を介して、天地方向に開封される包装袋であって、
前記ノッチ部から天地方向に開封する延長上に、前記外層フィルムを貫通し、内層表面まで達するスリット線が形成されていることを特徴とする包装袋。
【請求項２】
前記スリット線の始点が、前記ノッチ部より包装袋幅方向中央部側に配されていることを特徴とする請求項１記載の包装袋。
【請求項３】
前記スリット線が、包装袋の幅方向中央近辺から端部に向かう第一スリット線と、該端部に沿い天地方向の第二スリット線とが変曲点を介して接続されていることを特徴とする請求項１または２記載の包装袋。
【請求項４】
前記スリット線が、複数形成されていることを特徴とする請求項１〜３のいずれか１項に記載の包装袋。
【請求項５】
前記スリット線が、複数の変曲点を介して形成されていることを特徴とする請求項１、請求項２、請求項４のいずれか１項に記載の包装袋。
【請求項６】
前記スリット線が、レーザー加工によって形成されていることを特徴とする請求項１〜５のいずれか１項に記載の包装袋。
【発明の詳細な説明】
【技術分野】
【０００１】
本発明は、食品などの内容物を収納する包装袋において、内容物を収納した状態で、電子レンジにより好適に加熱でき、かつ易開封性を備えた包装袋に関するものである。
【背景技術】
【０００２】
従来、冷蔵または冷凍食品などの調理食品を収納した包装袋を、電子レンジにより加熱調理すると、内容物から発生した蒸気によって包装袋の内圧が上昇し、包装袋が破裂して内容物が電子レンジ内に飛散してしまう問題がある。通常は、加熱調理する前に、包装袋に、例えば鋏などを用いて小さい切欠け部や蒸気抜け口を設けて、内圧の上昇を抑えて加熱調理することが行われている。よって食する前に手間を掛けている。
【０００３】
このような手間を省くために、特許文献１では、シール部の内層と外層との間に剥離剤をパターンコートし、内圧の上昇とともに内層が切れて蒸気抜け口を形成し蒸気が剥離剤に沿って排出されるものである。また開封は、天地シール部にて、シール片をそれぞれ引っ張って開封する、または別に設けたＶ字、Ｉノッチから開封するものである。
【０００４】
また特許文献２では、外層、内層を全貫通するようなスリットを形成、内容を再融着する方法である。外層のスリット部の下の内層が、内圧の上昇とともに蒸気抜け口が形成される。また開封は、天地シール部にて、シール片をそれぞれ引っ張って開封する、または別に設けたＶ字。Ｉノッチから開封するものである。
【０００５】
しかし、特許文献１では、蒸気抜け口がシール部にあり火傷の恐れがある。それは、調理後、熱伝導の少ないシール部を持って包装袋を取り出すことからである。また内容物を取り出すための易開封性は、別途設ける必要がある。
【０００６】
特許文献２では、スリット加工後に再融着工程を必要とするため、製造工程が煩雑になる。また内容物を取り出すための易開封は別途設ける必要がある。
【０００７】
包装袋の内圧が上昇すると蒸気抜け口が形成され加熱調理することができるが、調理後、内容物を取り出すときには、別に設けられた易開封機能を使用して開封しなければならず、作業工程が煩雑である。
【先行技術文献】
【特許文献】
【０００８】
【特許文献１】特許第３３５９４９０号公報
【特許文献２】ＷＯ２０１２／０８６２９５号公報
【発明の概要】
【発明が解決しようとする課題】
【０００９】
本発明は、このような問題を鑑みて、内容物を収納した包装袋を、安全に電子レンジで加熱調理でき、調理後、易開封できる包装袋を提供することにある。
【課題を解決するための手段】
【００１０】
上記の課題を解決するために、発明者らは鋭意検討を行い、本発明を完成した。
【００１１】
本発明の請求項１に係る発明は、少なくとも、外層フィルムと内層フィルムが積層された積層フィルムの両端部の内層フィルム同士を対向させシールした側シール部と、
該側シール部と直交する端縁の内層フィルム同士をシールし、天シール部と地シール部を形成した包装袋において、
前記天シール部または地シール部に開封するためのノッチ部を有し、該ノッチ部を介して、天地方向に開封される包装袋であって、
前記ノッチ部から天地方向に開封する延長上に、前記外層フィルムを貫通し、内層表面まで達するスリット線が形成されていることを特徴とする包装袋である。
【００１２】
本発明の請求項２に係る発明は、前記スリット線の始点が、前記ノッチ部より包装袋幅方向中央部側に配されていることを特徴とする請求項１記載の包装袋である。
【００１３】
本発明の請求項３に係る発明は、前記スリット線が、包装袋の幅方向中央近辺から端部に向かう第一スリット線と、該端部に沿い天地方向の第二スリット線とが変曲点を介して接続されていることを特徴とする請求項１または２記載の包装袋である。
【００１４】
本発明の請求項４に係る発明は、前記スリット線が、複数形成されていることを特徴とする請求項１〜３のいずれか１項に記載の包装袋である。
【００１５】
本発明の請求項５に係る発明は、前記スリット線が、複数の変曲点を介して形成されていることを特徴とする請求項１、請求項２、請求項４のいずれか１項に記載の包装袋である。
【００１６】
本発明の請求項６に係る発明は、前記スリット線が、レーザー加工によって形成されていることを特徴とする請求項１〜５のいずれか１項に記載の包装袋である。
【発明の効果】
【００１７】
包装袋の表面に蒸気抜け口となるスリット線を設け、該スリット線が開封線となるよう両立させた包装袋である。よって内容物を収納した状態で加熱調理ができ、調理後、内容物を取り出す際には、容易に開封できるものである。
【００１８】
本発明の請求項１によれば、天シール部または地シール部に開封するためのノッチ部を有し、該ノッチ部を介して、天地方向に開封される包装袋であって、ノッチ部から天地方向に開封する延長上に、外層フィルムを貫通し、内層フィルム表面まで達するスリット線が形成されていることにより、加熱調理時において、内容物からの蒸気で包装袋内の内圧が上昇し、スリット線の下の内層フィルムが膨張して破断して蒸気抜け口が形成される。該スリット線から蒸気が排出される。また調理後、内容物を取り出すときには、天シール部また地シール部に形成されたノッチ部を介して天地方向に開封する際、開封する力が、スリット線に乗り開封が容易にできる。通蒸性（蒸気を排出することをいう）と開封性を両立させた包装袋である。
【００１９】
本発明の請求項２によれば、第一スリット線の始点が、ノッチ部より包装袋幅方向中央部側に配されていることにより、ノッチ部から天地方向に開封するときには、スリット線に乗ることができる。
【００２０】
本発明の請求項３によれば、スリット線が、包装袋の幅方向中央近辺から端部に向かう第一スリット線と、該端部に沿い天地方向の第二スリット線とが変曲点を介して接続されていることにより、容易に開封させることができる。ノッチ部から天地方向に開封するときに第一スリット線に乗り、変曲点を通じて天地方向の第二スリット線へと導かることから容易に開封できる。
【００２１】
本発明の請求項４によれば、スリット線が、複数形成されていることにより、通蒸性の
向上と、開封性を向上させることができる。
【００２２】
本発明の請求項５によれば、スリット線が、複数の変曲点を介して形成されていることにより、蒸気抜け口を多彩に形成でき、かつ開封性を向上させることができる。
【００２３】
本発明の請求項６によれば、前記スリット線が、レーザー加工によって形成されていることにより、スリット線を安定して形成することができる。
【図面の簡単な説明】
【００２４】
【図１】本発明の包装袋の一実施形態を示す説明図である。
【図２】図１の包装袋の積層フィルムのＬ−Ｌ´線の断面の一例を示す説明図である。
【図３】図２の包装袋を電子レンジで加熱調理した状態の一例を示す説明図である。
【図４】図２の包装袋の調理後に開封した状態の一例を示す説明図である。
【図５】スリット線の形状の一例を示す説明図である。
【図６】スリット線の他の形状の一例を示す説明図である。
【図７】スリット線の他の形状の一例を示す説明図である。
【図８】包装袋の層構成の一例を示す説明図である。
【発明を実施するための形態】
【００２５】
以下に、本発明を実施するための形態につき説明する。
【００２６】
図１は、本発明の包装袋の一実施形態を示す説明図である。積層フィルムの両端部の内層フィルム同士を対向させてシールし、側シール部を形成し、該側シール部と直交する端縁の内層フィルム同士をシールし、天シール部と地シール部を形成した三方シール包装袋５０の正面を示している。表側の積層フィルムには、スリット線１０が形成されている。このスリット線１０は、一方の端部２４に向かう第一スリット線１１と、該端部に沿い垂直方向の第二スリット線１２と、が変曲点１３を介して接続されている。また天シール部２１には開封するためのノッチ部２３が形成され、該ノッチ部から天地方向の延長線上に第一スリット線１１が配されている。
【００２７】
図２は、図１の包装袋の積層フィルムのＬ−Ｌ´線の断面の一例を示す説明図である。積層フィルム１は、外層フィルム２と内層フィルム３が積層されている。外層フィルムは、耐熱性を有し基材層であり、内層フィルムは、シーラント層である。外層フィルム２には、該外層フィルムを貫通するスリット線１０が内層フィルム３の表面まで達するように形成されている。
【００２８】
図３は、図２の包装袋を電子レンジで加熱調理した状態の一例を示す説明図である。図３−１は、電子レンジで加熱調理する前の状態をしている。図３−１は、電子レンジで加熱調理中、内容物から蒸気が発生し包装袋の内圧が上昇した際の状態を示している。包装袋の内圧が上昇すると、積層フィルム１は外方向に向かって膨らみ、スリット線１０の幅が広がっている状態を示している。図３−２は、さらに包装袋の内圧が上昇すると、スリット線の下の内層フィルム３が広がったスリット線１０に伸長して、破断して蒸気抜け口２５が形成され、該蒸気抜け口から蒸気２６が外部に排出される。ある程度蒸気が排出されると包装袋の圧力が低下するため、積層フィルムの膨らみは小さくなる。スリット線の下の内層フィルムは、破断された状態で残る。
【００２９】
図４は、図１の包装袋の調理後に開封した状態の一例を示す説明図である。内容物を取り出す際には、ノッチ部２３から天地方向に開封していと、開封方向の延長線上の第一スリット線１１に乗り、さらに変曲点１３を通じて第二スリット線１２を通じて開封されていく。切り取り部２７が形成され、容易に開封できる。
【００３０】
図５は、スリット線の形状の一例を示す説明図である。図１に挙げたスリット線の形状とは異なる形状を示す。図５−１に示す例は、第一スリット線１１が端部２４に向かい、第二スリット線１２が端部２４に向けて形成されたものである。図５−２に示す例は、第一スリット線１１が天シール部２１と平行に、第二スリット線１２が端部に向かい形成されたものである。図５−３に示す例は、第一スリット線１１が天シール部２１と平行に、第二スリット線が垂直方向に形成されたものである。これらの形状は、開封を容易にすることができる。
【００３１】
図６は、スリット線の他の形状の一例を示す説明図である。図６−１は、図１で示すスリット線１０が二本形成されたものである。二本が近接するように形成されたものである。図６−２は、図１で示すスリット線１０が上下に二本形成されたものである。これらの形状は、安定して開封することができる。
【００３２】
図５、図６に示した形状は、ノッチ部２３が包装袋の幅方向中央部より端部２４寄りに形成されているために、内容物が飛び出し難く、火傷の心配がなく開封することができるものである。
【００３３】
図７は、スリット線の他の形状の一例を示す説明図である。第一スリット線１１の始点が、ノッチ部２３より端部２４寄りに形成され、かつ垂直方向に形成された一例を示している。ノッチ部を介して天地方向に開封する力が、第一スリット線に乗らず開封ができない形状を示している。
【００３４】
図８は、包装袋の層構成の一例を示す説明図である。図８−１は基材層である外層フィルム２とシーラント層である内層フィルム３が接着層５を介して積層された積層フィルム１である。スリット線１０は、外層フィルム２を貫通して内層フィルム３の表面まで達するように加工される。図８−２は、中間層４を積層した積層フィルム１の一例を示している。中間層４は、接着層５を介して積層される。スリット線１０は、外層フィルム２および中間層４を貫通して内層フィルム３の表面まで達するように加工される。中間層４は、積層フィルムの剛性、耐突き刺し性などを向上させる場合に、積層することができる。
【００３５】
以下に、本発明を実施するための形態につき、更に詳しく説明する。
【００３６】
外層フィルム２としては、機械的強度を有し、かつ熱シール時に変形しない程度の耐熱性が必要である。例えばポリエステルフィルム、ナイロンフィルム、ポリプロピレンフィルムなどの単体、またはそれらの二種以上の積層フィルムを使用することができる。また基材フィルムと紙を積層したものも可能である。フィルムの厚みとしては、１２〜６０μｍの範囲がよく、１２〜２５μｍの範囲が好ましい。
【００３７】
また、外層フィルムに、例えば、帯電防止剤、紫外線吸収剤、可塑剤、滑剤、着色剤などの公知の添加剤を加えることができる。必要に応じて適宜添加することができる。
【００３８】
内層フィルム３としては、シーラントフィルムであればよく、例えば、低密度ポリエチレンフィルム、直鎖状低密度ポリエチレンフィルム、中密度ポリエチレンフィルム、高密度ポリエチレンフィルム、ポリプロピレンフィルム、エチレン−αオレフィン共重合体フィルム、アイオノマーフィルムなどが使用できる。これらフィルムの単層や二層以上の共押し出しフィルムでもよい。
【００３９】
内層フィルムの厚みは、１０〜６０μｍの範囲が好ましい。特に安定したシール性と電子レンジで加熱された時に破断し易いからである。厚みが６０μｍを超える場合は、強度
が強くなりすぎて加熱された時に破断し難くなるため好ましくない。また１０μｍ未満の場合は、強度が不足し、流通段階などで破断する恐れがあり好ましくない。
【００４０】
また内層フィルムを形成する方法としては、インフレーション法、Ｔダイ押し出し機による押し出し法により製膜することができる。フィルムの単層や二層以上の共押し出しフィルムを形成することができる。
【００４１】
外層フィルムと内層フィルムを貼り合わせる接着層５としては、ポリエチレン樹脂によるサンドポリ加工や、接着剤を用いてドライラミネート加工により可能である。接着剤としては、二液硬化型ウレタン系接着剤、ポリエステルウレタン系接着剤、ポリエーテルウレタン系接着剤、アクリル系接着剤、ポリエステル系接着剤、ポリアミド系接着剤、エポキシ系接着剤などを使用することができる。
【００４２】
スリット線１０を形成する方法としては、レーザー加工により所定の位置に設けることができる。レーザーとしては、例えば連続またはパルス発振形式を有する炭酸ガスレーザー、ＹＡＧレーザー、エキシマレーザーが挙げられるが、中でも炭酸ガスレーザーが好適に使用できる。また金属刃によるトムソン抜き機、ロールカッターなども使用できる。スリット線は、貫通部を連続して形成したり、またはミシン目のように貫通部、非貫通部を連続して形成してもよい。蒸気抜け口の機能と開封線としての機能を有すればどちらでも構わない。
【００４３】
スリット線は、レーザーを用いることにより、外層フィルムに加工して内装フィルムと積層したり、あるいは積層した積層フィルムに加工したり、また包装袋に加工したりすることができる。
【００４４】
また包装袋に文字、絵柄などを印刷する場合は、外層フィルムの内面に印刷層を形成することができる。印刷は、グラビア印刷、フレキソ印刷、オフセット印刷、シルクスクリーン印刷、インクジェット印刷などの公知の方法で可能である。
【００４５】
また包装袋に更なる諸物性の向上の要求があれば、例えば、耐落下強度、耐突き刺し強度などが必要になれば、外層フィルムと内層フィルムの間に中間層を積層させることができる。中間層４として、例えば、低密度ポリエチレンフィルム、直鎖状低密度ポリエチレンフィルム、ナイロンフィルム、ポリエステルフィルムなどが使用できる。また包装袋に遮光性が必要な場合は、例えば、黒インキや白インキを用いた遮光インキ層を印刷したポリエステルフィルムを積層することができる。また中間層を積層した場合のスリット線は、外層フィルムおよび中間層を貫通し、内層フィルムの表面まで達するように形成すればよい。
【００４６】
中間層を積層する接着層５としては、ポリエチレン樹脂によるサンドポリ加工や、接着剤を用いてドライラミネート加工により可能である。接着剤としては、二液硬化型ウレタン系接着剤、ポリエステルウレタン系接着剤、ポリエーテルウレタン系接着剤、アクリル系接着剤、ポリエステル系接着剤、ポリアミド系接着剤、エポキシ系接着剤などを使用することができる。
【００４７】
また外層フィルムに一方向の直線カット性を有する延伸フィルムを使用することもできる。直線カット性とは、延伸フィルムに所定の大きさの切り込み部を形成し、該切り込み部から所定の大きさの引き裂き応力を延伸フィルムに付与した場合に、引き裂き応力を付与した方向と同一方向に直線状に延伸フィルムが引き裂かれる特性をいう。一方向に延伸された延伸フィルムを外層フィルムに用いることにより包装袋に直線カット性を付与し、開封性をさらに向上させることができる。例えば、一軸延伸ポリプロピレンフィルム、一
軸延伸高密度ポリエチレン、一軸延伸ポリエステルフィルムなどを使用できる。
【００４８】
ノッチ部２３の形状は、天地方向に引き裂けるような形状であればよい。例えば、Ｖ字状、Ｉ字状のものが好適に使用できる。
【００４９】
ノッチ部は、内容物を充填した後、天シール部または地シール部に形成することができる。また天シール部および地シール部のいずれからでも開封できるように、天シール部および地シール部の相対称した部位に形成することができる。形成する方法としては、金属刃による抜き型、金型によるプレス機、また炭酸ガスレーザー加工によっても可能である。
【００５０】
包装袋の形状としては、三方シール包装袋、ガゼット包装袋、自立性包装袋（スタンディングパウチ）、四方シール包装袋などが挙げられる。
【００５１】
本発明の包装袋は、内容物を収納した状態で、電子レンジで加熱調理することができる。スリット線が、包装袋の上側の積層フィルムの端部寄りに形成されているために、包装袋から上方に向かって蒸気が排出され、調理後は、ノッチ部からスリット線を開封線として開封することができる。容易に開封することができる。
【００５２】
以下に、本発明の具体的実施例について説明する。
【実施例１】
【００５３】
外層フィルムとして、ポリエステルフィルム１２μｍの裏面にウレタン系樹脂をバインダーとしたグラビアインキを用いてグラビア印刷を行い、印刷層を設けた。
【００５４】
次に、印刷層の面に、二液硬化型ウレタン系接着剤を介して、内層フィルムである低密度ポリエチレンフィルム４０μｍをドライラミネート法にて貼り合わせる。このようにして積層フィルムを作成した。
【００５５】
次に、積層フィルムの所望の位置に、ポリエステルフィルムを貫通し低密度ポリエチレンフィルムの表面まで達するスリット線を形成した。該スリット線は、製袋されて包装袋が形成されたときに、包装袋の表側の積層フィルムの所望の位置に配されるように形成した。またスリット線は、炭酸ガスレーザーにより加工した。スリット線の形状は、図１に示す、一方の端部に向かう第一スリット線と、該端部に沿い垂直方向の第二スリット線と、が変曲点を介して接続されているものである。
【００５６】
上記積層フィルムの両端部の内層フィルム同士を対向させシールし側シール部を形成、該側シール部と直交する端縁をシールし、天シール部と地シール部を形成して三方シールした包装袋を作成した。なお、天シール部の端部寄りに開封するためのノッチ部を金型抜きにて形成した。また第一スリット線の始点は、ノッチ部より包装袋の幅方向内側になるように形成した。なお、包装袋には、縦１２０ｍｍ、横１４０ｍｍの包装袋とし、内容物として水を収納した。
【実施例２】
【００５７】
外層フィルムとして、ナイロンフィルム１５μｍを使用した以外は、実施例１と同様に行い包装袋を作成した。
【実施例３】
【００５８】
実施例１のスリット線の形状を図５−１に示す、第一スリット線が端部に向かい、第二スリット線が端部に向けて形成された以外は、実施例１と同様に行い包装袋を作成した。
【実施例４】
【００５９】
外層フィルムとして、ナイロンフィルム１５μｍを使用した以外は、実施例３と同様に行い包装袋を作成した。
【実施例５】
【００６０】
実施例１のスリット線の形状を、図５−２に示す、第一スリット線が天シール部と平行に、第二スリット線が端部に向けて形成された以外は、実施例１と同様に行い包装袋を作成した。
【実施例６】
【００６１】
外層フィルムとして、ナイロンフィルム１５μｍを使用した以外は、実施例５と同様に行い包装袋を作成した。
【実施例７】
【００６２】
実施例１のスリット線の形状を、図５−３に示す、第一スリット線が天シール部と平行に、第二スリット線が垂直方向に形成された以外は、実施例１と同様に行い包装袋を作成した。
【実施例８】
【００６３】
外層フィルムとして、ナイロンフィルム１５μｍを使用した以外は、実施例７と同様に行い包装袋を作成した。
【実施例９】
【００６４】
実施例１のスリット線を、図６−１に示すように二本近接して形成した以外は、実施例１と同様に行い包装袋を作成した。
【実施例１０】
【００６５】
外層フィルムとして、ナイロンフィルム１５μｍを使用した以外は、実施例９と同様に行い包装袋を作成した
【実施例１１】
【００６６】
実施例１のスリット線を、図６−２に示すように上下に二本形成した以外は、実施例１と同様に行い包装袋を作成した。
【実施例１２】
【００６７】
外層フィルムとして、ナイロンフィルム１５μｍを使用した以外は、実施例１１と同様に行い包装袋を作成した。
【００６８】
以下に、本発明の比較例について説明する。
【００６９】
＜比較例１＞
スリット線の形状を、図７に示す、ノッチ部より端部寄りに、垂直に形成した以外は、実施例１と同様に行い包装袋を作成した。
【００７０】
＜比較例２＞
外層フィルムとして、ナイロンフィルム１５μｍを使用した以外は、比較例１と同様に行い包装袋を作成した。
【００７１】
＜評価方法＞
通蒸性：実施例１〜１２、比較例１〜２の包装袋を、電子レンジ内に、スリット線が上側に配されるように置き加熱する。加熱中、スリット線から蒸気が排出される場合を○、排出されず包装袋が破裂したものを×とした。
開封性：開封する力が、ノッチ部からスリット線に乗り、スリット線に沿って開封が得られたものを○、開封がスリット線に乗らず、できなかったものを×とした。
【００７２】
＜評価結果＞
表１に示す。
【００７３】
【表１】
2014210601.tif 000003
実施例１〜１２では、通蒸性については、スリット線で蒸気抜け口が形成され、蒸気が排出された。また開封性については、開封する力が、ノッチ部からスリット線に乗り、容易に開封できた。また外層フィルムにポリエステルフィルム、ナイロンフィルムを使用したが差がなく開封できた。蒸気の排出と開封を兼ねることができた。比較例１、２では、スリット線が、ノッチ部から天地方向に開封する延長線上にないため、開封が出来なかった。
【符号の説明】
【００７４】
１・・・・積層フィルム
２・・・・外層フィルム
３・・・・内層フィルム
４・・・・中間層
５・・・・接着層
１０・・・スリット線
１１・・・第一スリット線
１２・・・第二スリット線
１３・・・変曲点
２０・・・側シール部
２１・・・天シール部
２２・・・地シール部
２３・・・ノッチ部
２４・・・端部
２５・・・蒸気抜け口
２６・・・蒸気
２７・・・切り取り部
５０・・・本発明の包装袋
６０・・・包装袋
【図１】
2014210601.tif 000004
【図２】
2014210601.tif 000005
【図３】
2014210601.tif 000006
【図４】
2014210601.tif 000007
【図５】
2014210601.tif 000008
【図６】
2014210601.tif 000009
【図７】
2014210601.tif 000010
【図８】
2014210601.tif 000011